【手続補正書】
【提出日】平成24年12月20日(2012.12.20)
【手続補正１】
【補正対象書類名】明細書
【補正対象項目名】０００９
【補正方法】変更
【補正の内容】
【０００９】
前記目的を達成するために、本発明の立体音響生成システムは、センタースピーカと、左右側のそれぞれに置かれたスピーカグループによる立体音響システムであって、
音源と、
前記音源に対する、受聴者を基準にした音像の方位角θと、仰角αによる音像の定位位置を設定する音像定位設定部と、
前記音像定位設定部により設定された音像の定位に応じて使用するスピーカを選択するスピーカ選択部と、
前記音源からの音声信号に対して畳み込む、前記左右側のスピーカグループ毎の頭部伝達関数を前記音像定位設定部により設定された音像の定位位置に基づき決定する頭部伝達関数決定部と、
前記音像定位設定部により設定された音像の定位位置に基づき、前記スピーカ選択部により選択されたスピーカに対して、配分する音声信号のエネルギー量を演算するエネルギー配分部と、
前記音源からの音声信号に対して前記頭部伝達関数決定部により決定された頭部伝達関数を畳み込み、且つ前記エネルギー配分部により演算された音声信号のエネルギーを各スピーカに割り当てる畳み込み処理部を有する、
ことを特徴とする。
【手続補正２】
【補正対象書類名】特許請求の範囲
【補正対象項目名】全文
【補正方法】変更
【補正の内容】
【特許請求の範囲】
【請求項１】
センタースピーカと、左右側のそれぞれに置かれたスピーカグループによる立体音響システムであって、
音源と、
前記音源に対する、受聴者を基準にした音像の方位角θと、仰角αによる音像の定位位置を設定する音像定位設定部と、
前記音像定位設定部により設定された音像の定位に応じて使用するスピーカを選択するスピーカ選択部と、
前記音源からの音声信号に対して畳み込む、前記左右側のスピーカグループ毎の頭部伝達関数を前記音像定位設定部により設定された音像の定位位置に基づき決定する頭部伝達関数決定部と、
前記音像定位設定部により設定された音像の定位位置に基づき、前記スピーカ選択部により選択されたスピーカに対して、配分する音声信号のエネルギー量を演算するエネルギー配分部と、
前記音源からの音声信号に対して前記頭部伝達関数決定部により決定された頭部伝達関数を畳み込み、且つ前記エネルギー配分部により演算された音声信号のエネルギーを各スピーカに割り当てる畳み込み処理部を有する、
ことを特徴とする立体音響システム。
【請求項２】
請求項１において、
前記センタースピーカと、左右側のそれぞれに置かれたスピーカグループが、５チャンネルの平面配置スピーカであって、
前記音像定位設定部は、
音像の第１の基準方向として、受聴者を基準に、仰角が０度で各方位角をスピーカ位置とする方向と、仰角がαv（０度より大きく９０度より小さければ任意に複数設定可能）で各方位角をセンタースピーカ以外の隣り合うスピーカの中間位置とする方向と、仰角が９０度で各方位角を０度とする方向とを決定する第１の基準方向決定手段を有し、
前記エネルギー配分部は、
前記第１の基準方向のうち仰角が０度の場合には当該第１の基準方向のスピーカに前記音源からの音声信号の全音量を配分し、前記第１の基準方向のうち仰角がαvの場合には方位角の視点で当該第１の基準方向を挟む２つの各スピーカに１／２音量を配分し、前記第１の基準方向のうち仰角が９０度の場合には受聴者を基準に前方に位置する３つの各スピーカに１／６音量を配分し、後方に位置する２つの各スピーカに１／４音量を配分する第１の音量配分手段と、
前記第１の基準方向のうちから、仰角、方位角の視点で、前記音像定位設定部により設定された音像を挟む４つの第２の基準方向を決定する第２の基準方向決定手段と、前記音像定位設定部により設定された音像の仰角が前記αv以下である場合に、［数１］に基づいて、前記第２の基準方向決定手段により決定された各第２の基準方向の音量配分と所定の結合係数とを乗算し、この値を決定された全ての前記第２の基準方向分で加算することで、スピーカ毎の音量配分を算出する第２の音量配分手段とを有する、
ことを特徴とする立体音響システム。
【数１】
2011139263.tif 000001
【請求項３】
請求項１において、
前記センタースピーカと、左右側のそれぞれに置かれたスピーカグループが、８チャンネルの平面配置スピーカであって、
前記音像定位設定部は、
音像の第１の基準方向として、受聴者を基準に、仰角が０度で各方位角をスピーカ位置とする方向と、仰角がαv（０度より大きく９０度より小さければ任意に複数設定可能）で各方位角をセンタースピーカ以外の隣り合うスピーカの中間位置とする方向と、仰角が９０度で各方位角を０度とする方向と、を決定する第１の基準方向決定手段を有し、
前記エネルギー配分部は、
前記第１の基準方向のうち仰角が０度の場合には当該第１の基準方向のスピーカに前記音源からの音声信号の全音量を配分し、前記第１の基準方向のうち仰角がαvの場合には方位角の視点で当該第１の基準方向を挟む２つの各スピーカに１／２音量を配分し、前記第１の基準方向のうち仰角が９０度の場合には当該第１の基準方向の各スピーカに１／８音量を配分する第１のエネルギー配分手段と、
前記第１の基準方向のうちから、仰角、方位角の視点で、前記音像定位設定部により設定された音像を挟む４つの第２の基準方向を決定する第２の基準方向決定手段と、
前記音像定位設定部により設定された音像の仰角が前記αv以下である場合に、［数２］に基づいて、前記第２の基準方向決定手段により決定された各第２の基準方向の音量配分と所定の結合係数とを乗算し、この値を決定された全ての前記第２の基準方向分で加算することで、スピーカ毎の音量配分を算出する第２の音量配分手段と、を有することを特徴とする立体音響システム。
【数２】
2011139263.tif 000002
【請求項４】
前記第２の音量配分手段は、前記音像定位設定部により設定された音像の仰角が前記αvを上回る場合に、［数３］に基づいて、前記第２の基準方向決定手段により決定された各第２の基準方向の音量配分と所定の結合係数とを乗算し、この値を決定された全ての前記第２の基準方向分で加算することで、スピーカ毎の音量配分を算出することを特徴とする請求項２又は３に記載の立体音響システム。
【数３】
2011139263.tif 000003
【請求項５】
前記頭部伝達関数決定部は、受聴者を基準として左側のスピーカには左側用の頭部伝達関数を、右側のスピーカには右側用の頭部伝達関数を、正面のスピーカには左及び右側用の頭部伝達関数を決定することを特徴とする請求項２に記載の立体音響システム。
【請求項６】
前記頭部伝達関数決定部は、受聴者を基準として左側のスピーカには左側用の頭部伝達関数を、右側のスピーカには右側用の頭部伝達関数を、正面及び背面のスピーカには左及び右側用の頭部伝達関数を決定することを特徴とする請求項３に記載の立体音響システム。
【請求項７】
前記音像定位位置に応じたスピーカ毎の頭部伝達関数を格納する頭部伝達関数テーブルを備え、
前記頭部伝達関数決定部は、当該頭部伝達関数テーブルから所望の頭部伝達関数を読み出し決定することを特徴とする請求項１〜６のいずれか１項に記載の立体音響システム。
【請求項８】
センタースピーカと、左右側のそれぞれに置かれたスピーカグループを使用して、音源からの音声信号に音像定位処理を施すことで音像を任意の位置に定位させ、当該スピーカを通じて立体音響を生成する立体音響生成システムの制御方法であって、
前記音源に対する、受聴者を基準にした音像の方位角θと、仰角αによる音像の定位位置を設定する音像定位設定ステップと、
前記音像定位設定ステップにより設定された音像の定位に応じて使用するスピーカを選択するスピーカ選択ステップと、
前記音源からの音声信号に対して畳み込む、前記左右側のスピーカグループ毎の頭部伝達関数を前記音像定位設定ステップにより設定された音像の定位位置に基づき決定する頭部伝達関数決定ステップと、
前記音像定位設定ステップにより設定された音像の定位位置に基づき、前記スピーカ選択ステップにより選択されたスピーカに対して、配分する音声信号のエネルギー量を演算するエネルギー配分ステップと、
前記音源からの音声信号に対して前記頭部伝達関数決定ステップにより決定された頭部伝達関数を畳み込み、且つ前記エネルギー配分ステップにより演算された音声信号のエネルギーを各スピーカに割り当てる畳み込み処理ステップを有する、
ことを特徴とする立体音響システムの制御方法。
【請求項９】
請求項８において、
前記センタースピーカと、左右側のそれぞれに置かれたスピーカグループが、５チャンネルの平面配置スピーカであって、
前記音像定位設定ステップは、
音像の第１の基準方向として、受聴者を基準に、仰角が０度で各方位角をスピーカ位置とする方向と、仰角がαv（０度より大きく９０度より小さければ任意に複数設定可能）で各方位角をセンタースピーカ以外の隣り合うスピーカの中間位置とする方向と、仰角が９０度で各方位角を０度とする方向と、を決定する処理を有し、
前記エネルギー配分ステップは、
前記第１の基準方向のうち仰角が０度の場合には当該第１の基準方向のスピーカに前記音源からの音声信号の全音量を配分し、前記第１の基準方向のうち仰角がαvの場合には方位角の視点で当該第１の基準方向を挟む２つの各スピーカに１／２音量を配分し、前記第１の基準方向のうち仰角が９０度の場合には受聴者を基準に前方に位置する３つの各スピーカに１／６音量を配分し、後方に位置する２つの各スピーカに１／４音量を配分する処理と、
前記第１の基準方向のうちから、仰角、方位角の視点で、前記音像定位設定ステップで設定された音像を挟む４つの第２の基準方向を決定する処理と、
前記音像定位設定ステップで設定された音像の仰角が前記αv以下である場合に、［数４］に基づいて、決定された各第２の基準方向の音量配分と所定の結合係数とを乗算し、この値を決定された全ての前記第２の基準方向分で加算することで、スピーカ毎の音量配分を算出する処理と、を含むことを特徴とする立体音響システムの制御方法。
【数４】
2011139263.tif 000004
【請求項１０】
請求項８において、
前記センタースピーカと、左右側のそれぞれに置かれたスピーカグループが、８チャンネルの平面配置スピーカであって、
前記音像定位設定ステップは、
音像の第１の基準方向として、受聴者を基準に、仰角が０度で各方位角をスピーカ位置とする方向と、仰角がαv（０度より大きく９０度より小さければ任意に複数設定可能）で各方位角をセンタースピーカ以外の隣り合うスピーカの中間位置とする方向と、仰角が９０度で各方位角を０度とする方向と、を決定する処理を有し、
前記エネルギー配分ステップは、
前記第１の基準方向のうち仰角が０度の場合には当該第１の基準方向のスピーカに前記音源からの音声信号の全音量を配分し、前記第１の基準方向のうち仰角がαvの場合には方位角の視点で当該第１の基準方向を挟む２つの各スピーカに１／２音量を配分し、前記第１の基準方向のうち仰角が９０度の場合には当該第１の基準方向の各スピーカに１／８音量を配分する処理と、
前記第１の基準方向のうちから、仰角、方位角の視点で、前記音像定位設定ステップで設定された音像を挟む４つの第２の基準方向を決定する処理と、
前記音像定位設定ステップで設定された音像の仰角が前記αv以下である場合に、［数５］に基づいて、決定された各第２の基準方向の音量配分と所定の結合係数とを乗算し、この値を決定された全ての前記第２の基準方向分で加算することで、スピーカ毎の音量配分を算出する処理と、を含むことを特徴とする立体音響システムの制御方法。
【数５】
2011139263.tif 000005
【請求項１１】
前記音量配分処理ステップは、前記音像定位設定ステップで設定された音像の仰角が前記αvを上回る場合に、［数６］に基づいて、決定された各第２の基準方向の音量配分と所定の結合係数とを乗算し、この値を決定された全ての前記第２の基準方向分で加算することで、スピーカ毎の音量配分を算出する処理を含むことを特徴とする請求項９又は１０に記載の立体音響システムの制御方法。
【数６】
2011139263.tif 000006
【請求項１２】
センタースピーカと、左右側のそれぞれに置かれたスピーカグループを備え、コンピュータにより、音源からの音声信号に音像定位処理を施すことで音像を任意の位置に定位させ、当該スピーカを通じて立体音響を生成させる立体音響生成システムの制御プログラムであって、
このプログラムは前記コンピュータに、
前記音源に対する、受聴者を基準にした音像の方位角θと、仰角αによる音像の定位位置を設定する音像定位処理と、
前記音像定位設定部により設定された音像の定位に応じて使用するスピーカを選択するスピーカ選択処理と、
前記音源からの音声信号に対して畳み込む、前記左右側のスピーカグループ毎の頭部伝達関数を前記音像定位設定処理により設定された音像の定位位置に基づき決定する頭部伝達関数決定処理と、
前記音像定位設定処理により設定された音像の定位位置に基づき、前記スピーカ選択処理により選択されたスピーカに対して、配分する音声信号のエネルギー量を演算するエネルギー配分処理と、
前記音源からの音声信号に対して前記頭部伝達関数決定処理により決定された頭部伝達関数を畳み込み、且つ前記エネルギー配分処理により演算された音声信号のエネルギーを各スピーカに割り当てる畳み込み処理処理を実行させる
ことを特徴とする立体音響システムの制御プログラム。
【請求項１３】
請求項１２において、
前記センタースピーカと、左右側のそれぞれに置かれたスピーカグループが、５チャンネルの平面配置スピーカであって、
前記音像定位設定処理は、
音像の第１の基準方向として、受聴者を基準に、仰角が０度で各方位角をスピーカ位置とする方向と、仰角がαv（０度より大きく９０度より小さければ任意に複数設定可能）で各方位角をセンタースピーカ以外の隣り合うスピーカの中間位置とする方向と、仰角が９０度で各方位角を０度とする方向と、を決定するものであって、
前記エネルギー配分処理は、
前記第１の基準方向のうち仰角が０度の場合には当該第１の基準方向のスピーカに前記音源からの音声信号の全音量を配分し、前記第１の基準方向のうち仰角がαvの場合には方位角の視点で当該第１の基準方向を挟む２つの各スピーカに１／２音量を配分し、前記第１の基準方向のうち仰角が９０度の場合には受聴者を基準に前方に位置する３つの各スピーカに１／６音量を配分し、後方に位置する２つの各スピーカに１／４音量を配分する処理と、
前記第１の基準方向のうちから、仰角、方位角の視点で、前記音像定位設定処理で設定された音像を挟む４つの第２の基準方向を決定する処理と、
前記音像定位設定処理で設定された音像の仰角が前記αv以下である場合に、［数７］に基づいて、決定された各第２の基準方向の音量配分と所定の結合係数とを乗算し、この値を決定された全ての前記第２の基準方向分で加算することで、スピーカ毎の音量配分を算出する処理と、を含むことを特徴とする立体音響システムの制御プログラム。
【数７】
2011139263.tif 000007
【請求項１４】
請求項１２において、
前記センタースピーカと、左右側のそれぞれに置かれたスピーカグループが、８チャンネルの平面配置スピーカであって、
前記音像定位設定処理は、
音像の第１の基準方向として、受聴者を基準に、仰角が０度で各方位角をスピーカ位置とする方向と、仰角がαv（０度より大きく９０度より小さければ任意に複数設定可能）で各方位角をセンタースピーカ以外の隣り合うスピーカの中間位置とする方向と、仰角が９０度で各方位角を０度とする方向と、を決定するものであって、
前記エネルギー配分処理は、
前記第１の基準方向のうち仰角が０度の場合には当該第１の基準方向のスピーカに前記音源からの音声信号の全音量を配分し、前記第１の基準方向のうち仰角がαvの場合には方位角の視点で当該第１の基準方向を挟む２つの各スピーカに１／２音量を配分し、前記第１の基準方向のうち仰角が９０度の場合には当該第１の基準方向の各スピーカに１／８音量を配分する処理と、
前記第１の基準方向のうちから、仰角、方位角の視点で、前記音像定位設定処理で設定された音像を挟む４つの第２の基準方向を決定する処理と、
前記音像定位設定処理で設定された音像の仰角が前記αv以下である場合に、［数８］に基づいて、決定された各第２の基準方向の音量配分と所定の結合係数とを乗算し、この値を決定された全ての前記第２の基準方向分で加算することで、スピーカ毎の音量配分を算出する処理と、を含むことを特徴とする立体音響システムの制御プログラム。
【数８】
2011139263.tif 000008
【請求項１５】
前記音量配分処理は、前記音像定位設定処理で設定された音像の仰角が前記αvを上回る場合に、［数９］に基づいて、決定された各第２の基準方向の音量配分と所定の結合係数とを乗算し、この値を決定された全ての前記第２の基準方向分で加算することで、スピーカ毎の音量配分を算出する処理を含むことを特徴とする請求項１３又は１４に記載の立体音響システムの制御プログラム。
【数９】
2011139263.tif 000009